(57)【要約】【課題】屋外に設置され、テレビ放送信号を処理して端末側に伝送するのに使用される伝送機器を収納する伝送機器用ケースにおいて、太陽光発電パネルを収納でき、しかも太陽光の反射を抑えて太陽光発電パネルによる発電効率を高めることができるようにする。【解決手段】ブースタケースの蓋体２０は、太陽光を透過可能な透明又は半透明の合成樹脂にて形成されており、その前面略全域には、太陽光発電部２２が形成され、その周囲には遮光塗料２６が塗布されている。蓋体２０の太陽光発電部２２は、その外側表面に、凸レンズを構成する微小突起を連続的に配置し、内側表面に太陽光発電パネル２４を貼り付けることにより構成されている。また、太陽光発電部２２の内側表面は、太陽光発電パネル２４への水平方向からの光の入射角度が互いに異なるように、垂直方向からみて２面を所定角度で交差させた２面形状になっている。【選択図】図２
2009246787.tif 000002
【特許請求の範囲】
【請求項１】
屋外に設置され、テレビ放送信号を処理して端末側に伝送するのに使用される伝送機器を収納するケースであって、
少なくとも前記伝送機器を支持装置に固定する固定具が設けられる面とは反対側の外壁を、透明又は半透明の合成樹脂にて構成すると共に、その外壁の外側表面には、凸レンズ又は凹レンズを構成する多数の凹凸を分散して形成し、該凹凸を形成した外壁の内側表面又は内側表面近傍には、当該外壁を透過した太陽光を受けて電圧を発生する太陽光発電パネルを設けたことを特徴とする伝送機器用ケース。
【請求項２】
前記固定具は、内側表面又は内側表面近傍に前記太陽光発電パネルが設けられた外壁の仰角を調整可能に構成されていることを特徴とする請求項１に記載の伝送機器用ケース。
【請求項３】
前記凹凸が形成される外壁の外側表面及び内側表面の何れか一方は、前記固定具を介して支持装置に固定した際に、水平方向からの光の入射角度が互いに異なるように形成された複数の面を有する多面形状となっていることを特徴とする請求項１又は請求項２に記載の伝送機器用ケース。
【発明の詳細な説明】
【技術分野】
【０００１】
本発明は、屋外に設置され、テレビ放送信号を処理して端末側に伝送するのに使用される伝送機器を収納する伝送機器用ケースに関する。
【背景技術】
【０００２】
従来、テレビ放送信号を処理して端末側に伝送するのに使用される共同受信用の伝送機器においては、商用電源から電源供給を受けて電源電圧を生成する電源装置から電源供給を行うのが一般的であるが、省電力化の要求に伴い、補助電源として太陽光発電パネルを利用することも考えられている（例えば、特許文献１等、参照）。
【０００３】
一方、太陽光発電パネル（所謂太陽電池）や表示装置を商品の陳列棚に設ける際には、これらを透明な樹脂ケース内に収納することで、発電及び表示ができ、しかも、これらを水滴等から保護できるようにすることが提案されている。
【特許文献１】特開昭５８−１７２０２４号公報
【特許文献２】特開２０００−１５２８５７号公報
【発明の開示】
【発明が解決しようとする課題】
【０００４】
このため、上記各技術を組み合わせれば、共同受信用の伝送機器の補助電源として太陽光発電パネルを利用する際、伝送機器のケースを透明にして、その内部に太陽光発電パネルを設けることが容易に考えられる。
【０００５】
しかしながら、伝送機器のケースを単に透明にしただけでは、太陽光を反射し易くなり、内蔵した太陽光発電パネルの発電効率が悪くなるという問題があった。
また、共同受信用の伝送機器は、通常、屋外で高所に設置されることから、太陽光を地域の住宅や道路に反射してしまい、迷惑をかけることも考えられる。
【０００６】
本発明は、こうした問題に鑑みなされたものであり、屋外に設置され、テレビ放送信号を処理して端末側に伝送するのに使用される伝送機器を収納する伝送機器用ケースにおいて、太陽光発電パネルを収納でき、しかも太陽光の反射を抑えて太陽光発電パネルによる発電効率を高めることができるようにすることを目的とする。
【課題を解決するための手段】
【０００７】
かかる目的を達成するためになされた請求項１に記載の発明は、屋外に設置され、テレビ放送信号を処理して端末側に伝送するのに使用される伝送機器を収納するケースであって、少なくとも前記伝送機器を支持装置に固定する固定具が設けられる面とは反対側の外壁を、透明又は半透明の合成樹脂にて構成すると共に、その外壁の外側表面には、凸レンズ又は凹レンズを構成する多数の凹凸を分散して形成し、該凹凸を形成した外壁の内側表面又は内側表面近傍には、当該外壁を透過した太陽光を受けて電圧を発生する太陽光発電パネルを設けたことを特徴とする。
【０００８】
また、請求項２に記載の発明は、請求項１に記載の伝送機器用ケースにおいて、前記固定具は、内側表面又は内側表面近傍に前記太陽光発電パネルが設けられた外壁の仰角を調整可能に構成されていることを特徴とする。
【０００９】
また更に、請求項３に記載の発明は、請求項１又は請求項２に記載の伝送機器用ケースにおいて、前記凹凸が形成される外壁の外側表面及び内側表面の何れか一方は、前記固定具を介して支持装置に固定した際に、水平方向からの光の入射角度が互いに異なるように形成された複数の面を有する多面形状となっていることを特徴とする。
【発明の効果】
【００１０】
請求項１に記載の伝送機器用ケースにおいては、ケース内部で太陽光発電パネルが取り付けられる外壁は、透明又は半透明の合成樹脂にて構成されるが、その外壁の外側表面には、凸レンズ又は凹レンズを構成する多数の凹凸が分散して形成されることから、太陽光の反射を抑えて、太陽光発電パネルに太陽光を効率よく入射させることができる。
【００１１】
よって、本発明の伝送機器用ケースによれば、太陽光発電パネルの発電効率を高めることができる。また、太陽光の反射を抑えることができ、しかも、表面の凹凸により反射を分散させることができるので、特定の場所に太陽光を集中して反射してしまうのを防止することもできる。
【００１２】
ところで、テレビ放送信号を伝送するのに使用される伝送機器は、通常、その前面が略垂直になるように固定具を介して支柱等に設置されるが、本発明のように、受光面積が広くなるよう、固定具が取り付けられる面とは反対側の外壁（つまりケースの前面）に太陽光発電パネルを設ける場合には、その前面を太陽に向けることが望ましい。
【００１３】
そして、このためには、請求項２に記載のように、当該ケースの固定具を、内側表面又は内側表面近傍に太陽光発電パネルが設けられた外壁の仰角を調整可能なものにすることが望ましい。
【００１４】
なお、こうした仰角調整可能な固定具としては、パラボラアンテナ等で使用されているので、その固定具を利用するようにすればよい。
また、太陽光発電パネルが設けられる外壁を一つの平面にすると、太陽の移動によって発電効率が大きく変化することになる。
【００１５】
そこで、太陽光発電パネルの発電効率の変動を抑え、安定した発電電力が得られるようにするには、請求項３に記載のように、凹凸が形成される外壁の外側表面及び内側表面の何れか一方を、固定具を介して支持装置に固定した際に、水平方向からの光の入射角度が互いに異なるように複数の面からなる多面形状にするとよい。
【発明を実施するための最良の形態】
【００１６】
以下に、本発明の一実施形態を図面と共に説明する。
図１は本発明が適用された実施形態のブースタケース２の構成を表し、（ａ）はブースタケース２をケース前面からみた正面図であり、（ｂ）はその右側面図である。
【００１７】
本実施形態のブースタケース２は、テレビ放送信号を受信する受信アンテナと共に屋外に設置されて、受信アンテナからの受信信号を増幅して、建造物内に配線された同軸ケーブルに出力する周知の増幅器（ブースタ）のケースである。
【００１８】
そして、図１に示すように、本実施形態のブースタケース２は、受信アンテナからの受信信号を入力するためのアンテナ接続端子１２や、増幅後の受信信号を出力するための出力端子１４が一体的に組み付けられ、内部に増幅回路や電源回路の基板を収納するための本体ケース１０と、本体ケース１０の前面の開口部を密閉する蓋体２０と、から構成されている。なお、蓋体２０は、本体ケース１０に開口部を開閉可能に取り付けられている。
【００１９】
また、本体ケース１０において、蓋体２０とは反対側の面（裏面）には、当該ブースタケース２（換言すれば増幅器であるブースタ）を支柱に取り付けるための固定具が設けられている。
【００２０】
この固定具は、本体ケース１０に直接固定される本体金具１６と、支柱に直接取り付けられ、本体金具１６を支持するための支柱取付金具１８とから構成されている。そして、本体金具１６には、２本のボルト１６ａを使って支柱取付金具１８に固定するためのボルト挿通孔が形成されており、その内の一方は、他方の中心軸周りに円弧状に形成されている。
【００２１】
このため、本体金具１６を支柱取付金具１８に固定する際、ボルト１６ａを締め付ける前に、ブースタケース２の蓋体２０側前面の仰角を調整することができる。なお、その前面の方位は、支柱取付金具１８を支柱に固定する際の向きによって簡単に調整できる。
【００２２】
次に、ブースタケース２の蓋体２０は、太陽光を透過可能な透明又は半透明の合成樹脂にて形成されており、その前面略全域には、太陽光発電部２２が形成され、その周囲には、ケース内部の電子部品を太陽光の熱や紫外線から保護するために、遮光塗料２６が塗布されている。
【００２３】
図２に示すように、蓋体２０の太陽光発電部２２は、その外側表面に、凸レンズを構成する微小突起を連続的に配置し、内側表面（又はその近傍）に太陽光発電パネル２４を貼り付けることにより構成されている。
【００２４】
また、太陽光発電部２２の内側表面は、図２（ｃ）から明らかなように、太陽光発電パネル２４への水平方向からの光の入射角度が互いに異なるように、垂直方向からみて２面を所定角度で交差させた２面形状になっている。
【００２５】
なお、図２において、（ａ）は、蓋体２０を図１（ｂ）の側面方向からみた断面図であり、（ｂ）は、図２（ａ）に示すＡ部拡大図であり、（ｃ）は、図２（ａ）に示すＢ−Ｂ線端面図（詳しくは蓋体２０を上方からみた端面図）である。
【００２６】
以上説明したように、本実施形態のブースタケース２においては、ケース内部で太陽光発電パネル２４が取り付けられる蓋体２０は、透明又は半透明の合成樹脂にて構成されるが、その外側表面には、凸レンズを構成する微小突起が連続的に形成されている。このため、蓋体２０表面で生じる太陽光の反射を抑えて、太陽光発電パネル２４に太陽光を効率よく入射させることができる。
【００２７】
よって、本実施形態のブースタケース２によれば、太陽光発電パネル２４の発電効率を高めることができる。また、太陽光の反射を抑えることができ、しかも、表面の微小突起により反射を分散させることができるので、特定の場所に太陽光を集中して反射してしまうのを防止することもできる。
【００２８】
また、ブースタケース２を支柱に取り付ける固定具は、本体金具１６と支柱取付金具１８とから構成され、ブースタケース２の前面の仰角を調整できるように構成されているので、その前面（つまり太陽光発電部２２）が太陽に向くように設置して、太陽光発電パネル２４の発電効率を高めることができる。
【００２９】
また更に、本実施形態では、蓋体２０において、太陽光発電パネル２４が取り付けられる内側表面が、垂直方向からみて２面を所定角度で交差させた２面形状になっており、各面に太陽光発電パネル２４が取り付けられていることから、太陽の移動で一方の太陽光発電パネル２４による発電効率が低下した際に、他方の太陽光発電パネル２４による発電効率が高くなり、太陽光発電パネル２４全体で発電効率の変動を抑え、安定した発電電力を得ることができるようになる。
【００３０】
以上、本発明の実施形態について説明したが、本発明は上記実施形態に限定されるものではなく、本発明の要旨を逸脱しない範囲内にて、種々の態様をとることができる。
例えば、上記実施形態では、太陽光発電パネル２４の発電効率を安定化させるために、蓋体２０の内側表面を２面形状にしたが、例えば、図３（ａ）に示すように、３面形状にしてもよく、或いは図３（ｂ）に示すように、外側表面を３面形状にしてもよい。
【００３１】
なお、図３（ｂ）は、太陽光発電部２２の外側表面を、凹レンズを構成する微小な窪みで形成しているが、このようにしても、上記実施形態と同様の効果を得ることができる。
【図面の簡単な説明】
【００３２】
【図１】実施形態のブースタケースの構成を表す正面図及び右側面図である。
【図２】実施形態のブースタケースを構成する蓋体の構造を説明する説明図である。
【図３】蓋体の太陽光発電部の他の構成例を表す説明図である。
【符号の説明】
【００３３】
２…ブースタケース、１０…本体ケース、１２…アンテナ接続端子、１４…出力端子、１６…本体金具、１６ａ…ボルト、１８…支柱取付金具、２０…蓋体、２２…太陽光発電部、２４…太陽光発電パネル、２６…遮光塗料。
【図１】
2009246787.tif 000003
【図２】
2009246787.tif 000004
【図３】
2009246787.tif 000005